(57)【要約】【課題】性能とともに従来の状態を進歩させた流体容器を提供する。【解決手段】流体容器が提供され、その容器は少なくとも部分的に流体を取り囲むように形成された本体部を具備している。その容器は本体部とキャップ部との間の開口部を取り囲んだ脆弱な分離部において本体部の上に接続されたキャップ部も含んでいる。略下向きの力が、開口部を通る長手軸から、径方向に特定の距離だけ離れた位置においてキャップの一部に負荷された場合に、キャップ部は分離部において本体部から分離して開口部を露出するように形成されている。容器は少なくとも本体部の一部の周囲に配置されるように形成されたカラーを含むことが可能である。カラーの一部はキャップ部の分離を用意にするように形成されることが可能である。【選択図】図１
2011011824.tif 000002
【特許請求の範囲】
【請求項１】
開口部上の隆起ニップルへのアクセスに寄与するための、少なくとも１つの直径と長手軸とを有する容器において、該容器は
ａ）遠位側と近位側とを有する肩壁部を備えた本体壁を伴った本体部と、キャップ壁を備え前記本体壁に隣接したキャップと、を具備し、前記本体壁は工学的分離部において前記キャップ壁と結合した容器シェルと、
ｂ）該容器シェル内に取り込まれ、前記本体部から前記キャップ部への内容物の移動を防止しているストッパと、
を具備し、
該ストッパの一部は前記本体部内に取り込まれ且つ前記ストッパの他の部分は前記キャップ部内に取り込まれており、
前記ストッパはストッパ壁と、隆起した注入部およびニップル側壁によって区切られた注入部を伴ったニップル上面を備えた中央隆起ニップルを有するストッパ肩部と、を備え、
前記工学的分離部は前記ニップル側壁に隣接して、前記キャップ部が前記本体部から前記工学的分離部において除去される場合に、前記ニップルの一部が前記本体部の外側に延伸し、この改良は、
前記分離部において前記本体部から前記キャップ部を分離するために形成された前記容器に取り付けられたオープナーを具備し、前記長手軸から特定の距離だけ径方向に離れた位置において、前記長手軸に略平行に前記キャップ部に対して下向きの力を受け且つ下向きに移動されることによって、前記分離が行われることを特徴とする容器。
【請求項２】
前記オープナーは前記キャップ壁から形成された少なくとも１つのタブを具備し、該タブは前記長手軸から径方向に固定の距離だけ延出していることを特徴とする請求項１に記載の容器。
【請求項３】
前記タブは該タブの径方向外側端において力を受けるように形成されていることを特徴とする請求項２に記載の容器。
【請求項４】
少なくとも１つの前記タブは力を受け、前記長手軸に略直交した前記分離部にトルクを伝達することを特徴とする請求項３に記載の容器。
【請求項５】
前記トルクが少なくとも所定のトルクである場合に、前記キャップ部は前記本体部から分離するように形成されていることを特徴とする請求項４に記載の容器。
【請求項６】
少なくとも前記肩壁部の周囲に配置されたカラーを含んでいることを特徴とする請求項５に記載の容器。
【請求項７】
前記カラーは、前記分離部を取り囲んだ第１開口部から、前記本体部内に形成された環状フランジの下の前記本体部内に形成されたネックを取り囲んだ第２開口部まで延在していることを特徴とする請求項６に記載の容器。
【請求項８】
前記カラーは除去されるように形成されていることを特徴とする請求項７に記載の容器。
【請求項９】
前記カラーは少なくとも一組の半円状の環状溝を含み、該環状溝は各々の端部において互いにヒンジ接続されており、前記環状溝は前記肩壁部周囲において前記カラーを一体に閉じるために接続されるように形成された自由端を備えていることを特徴とする請求項８に記載の容器。
【請求項１０】
前記環状溝は、前記カラーが前記肩壁部の周囲において閉じられるときに、前記本体部に前記カラーを固定するように形成されていることを特徴とする請求項９に記載の容器。
【請求項１１】
前記一組の環状溝の各々の前記自由端は、該自由端を一体に接続するように形成された、対応する結合コネクタを含んでいることを特徴とする請求項１０に記載の容器。
【請求項１２】
前記カラーは前記容器の内容物に関連した印章を表示していることを特徴とする請求項７に記載の容器。
【請求項１３】
前記カラーは色を表示していることを特徴とする請求項１２に記載の容器。
【請求項１４】
前記カラーの一部は少なくとも１つの前記タブのためのてこの支点として作用するように形成されていることを特徴とする請求項７に記載の容器。
【請求項１５】
前記分離部は、前記本体壁と前記キャップ壁との間のシェル厚さ内における不連続な線であることを特徴とする請求項１に記載の容器。
【請求項１６】
前記キャップ部に隣接した前記肩壁部は、前記容器の長手軸と非直角の角度を成して形成されていることを特徴とする請求項１に記載の容器。
【請求項１７】
前記本体壁は侵入障害部を含み、該侵入障害部は前記ストッパ壁に形成されたストッパ侵入障害部と協働することを特徴とする請求項１６に記載の容器。
【請求項１８】
前記本体壁は壁保持面を備え、該壁保持面は前記ストッパ壁のストッパ保持面と協働することを特徴とする請求項１７に記載の容器。
【請求項１９】
前記壁保持面は少なくとも１つの浸出障害部を具備し、該浸出障害部は前記ストッパ保持部のストッパ浸出障害部と協働することを特徴とする請求項１８に記載の容器。
【請求項２０】
前記肩壁部は少なくとも１つの隆起ガセットをさらに具備し、該隆起ガセットは前記肩壁部から延出し且つ前記容器の長手軸に略平行な側面を備えていることを特徴とする請求項２０に記載の容器。
【請求項２１】
前記側面は前記肩壁部の遠位側を始点とし、前記容器の長手軸に沿って測定した前記遠位側から前記注入部まで前記長手方向距離の少なくとも２５％だけ前記容器の長手軸と略平行に延在していることを特徴とする請求項２０に記載の容器。
【請求項２２】
前記側面は前記肩壁部の遠位側を始点とし、前記容器の長手軸に沿って測定した前記遠位側から前記注入部まで前記長手方向距離の少なくとも５０％だけ前記容器の長手軸と略平行に延在していることを特徴とする請求項２１に記載の容器。
【請求項２３】
前記工学的分離部は前記肩壁部の厚さの漸進的な薄化によって形成されており、前記肩壁部は該肩壁部の前記遠位側における最大厚さから前記肩壁部の前記近位側における最小厚さに到達するまでテーパ状を成していることを特徴とする請求項２２に記載の容器。
【請求項２４】
少なくとも部分的に流体を取り囲むように形成された本体部と、
脆弱な分離部において前記本体部の上に接続されたキャップ部と、を具備し、
前記分離部は前記本体部と前記キャップ部との間の開口部を取り囲んだ流体容器であって、
略下向きの力が、前記開口部を通る長手軸から、径方向に特定の距離だけ離れた位置において前記キャップの一部に負荷された場合に、前記キャップ部は前記分離部において前記本体部から分離して前記開口部を露出するように形成されていることを特徴とする容器。
【請求項２５】
前記キャップ部は、前記長手軸から径方向に固定の距離だけ延出し手形成された少なくとも１つのタブを含んでいることを特徴とする請求項２４に記載の容器。
【請求項２６】
前記タブは該タブの径方向外側端において力を受けるように形成されていることを特徴とする請求項２５に記載の容器。
【請求項２７】
少なくとも１つの前記タブは力を受け、前記長手軸に略直交した前記分離部にトルクを伝達することを特徴とする請求項２５に記載の容器。
【請求項２８】
前記トルクが少なくとも所定のトルクである場合に、前記キャップ部は前記本体部から分離するように形成されていることを特徴とする請求項２７に記載の容器。
【請求項２９】
少なくとも肩壁部の周囲に配置されるように形成されたカラーを含んでいることを特徴とする請求項２４に記載の容器。
【請求項３０】
前記カラーは、前記分離部を取り囲んだ第１開口部から、前記本体部内に形成された環状フランジの下の前記本体部内に形成されたネックを取り囲んだ第２開口部まで延在していることを特徴とする請求項２９に記載の容器。
【請求項３１】
前記カラーは除去されるように形成されていることを特徴とする請求項３０に記載の容器。
【請求項３２】
前記カラーは少なくとも一組の半円状の環状溝を含み、該環状溝は各々の端部において互いにヒンジ接続されており、前記環状溝は前記肩壁部周囲において前記カラーを一体に閉じるために接続されるように形成された自由端を備えていることを特徴とする請求項３１に記載の容器。
【請求項３３】
前記環状溝は、前記カラーが前記肩壁部の周囲において閉じられるときに、前記本体部に前記カラーを固定するように形成されていることを特徴とする請求項３２に記載の容器。
【請求項３４】
前記一組の環状溝の各々の前記自由端は、該自由端を一体に接続するように形成された、対応する結合コネクタを含んでいることを特徴とする請求項３３に記載の容器。
【請求項３５】
前記カラーは前記容器の内容物に関連した印章を表示していることを特徴とする請求項２９に記載の容器。
【請求項３６】
前記カラーは色を表示していることを特徴とする請求項３５に記載の容器。
【請求項３７】
前記カラーの一部は少なくとも１つの前記タブのためのてこの支点として作用するように形成されていることを特徴とする請求項２９に記載の容器。
【請求項３８】
前記分離部は、前記本体部の本体壁と前記キャップ部のキャップ壁との間の厚さ内における不連続な線であることを特徴とする請求項１に記載の容器。
【請求項３９】
前記分離部は前記本体壁の前記肩壁部の厚さの漸進的な薄化によって形成されており、前記肩壁部は該肩壁部の前記遠位側における最大厚さから前記肩壁部の前記近位側における最小厚さに到達するまでテーパ状を成していることを特徴とする請求項３８に記載の容器。
【請求項４０】
前記キャップ部は、シール部に取り付けられた下端部を備え且つ少なくとも１つの前記タブが延在した上端部を備えた中央部を含んでいることを特徴とする請求項２５に記載の容器。
【請求項４１】
少なくとも１つの前記タブは前記長手軸に対して鋭角を成して前記中央部から延出していることを特徴とする請求項４０に記載の容器。
【請求項４２】
前記本体部と前記キャップ部との間に配置されたエラストマストッパをさらに含み、該ストッパは開口部を通じて延在したニップルを含み、前記本体部と前記キャップ部とは前記ストッパを封入するように形成されていることを特徴とする請求項２４に記載の容器。
【請求項４３】
前記ニップルは前記開口部と前記キャップ部との間において少なくとも延在するように形成されていることを特徴とする請求項４２に記載の容器。
【請求項４４】
少なくとも部分的に流体を取り囲むように形成された本体部と、
開口部を取り囲んだ脆弱な分離部において前記本体部の上に接続されたキャップ部と、を具備し、
略下向きの力が、前記開口部を通る長手軸から、径方向に特定の距離だけ離れた位置において前記キャップの一部に負荷された場合に、前記キャップ部は前記分離部において前記本体部から分離して前記開口部を露出するように形成された流体容器を開けるための方法であって、該方法は、
流体容器を準備するステップと、
ニップルを通過する長手軸から径方向に特定の距離だけ離れた位置において、前記キャップ部の一部に所定の下向きの力を負荷するステップと、を含んでいることを特徴とする方法。
【請求項４５】
径方向に特定の距離だけ離れた位置において前記下向きの力を負荷することは、前記長手軸に略直交した軸に対してトルクを発生することを特徴とする請求項４４に記載の方法。
【請求項４６】
負荷された前記所定の力は、前記分離部において前記本体部から前記キャップ部を分離するための十分なトルクを発生することを特徴とする請求項４５に記載の方法。
【請求項４７】
前記所定の力を負荷することは、前記キャップ部から径方向外側に延在した少なくとも１つのタブに力を負荷することを含んでいることを特徴とする請求項４６に記載の方法。
【請求項４８】
前記所定の力は前記タブの径方向外側端において負荷されることを特徴とする請求項４６に記載の方法。
【請求項４９】
前記所定の力を負荷することは、ユーザの手の少なくとも一部を使用して力を負荷することを含んでいることを特徴とする請求項４６に記載の方法。
【請求項５０】
前記手の少なくとも一部は少なくとも親指、手の指および掌の１つを含んでいることを特徴とする請求項４８に記載の方法。
【請求項５１】
前記ユーザの片手によって前記容器が把持されることをさらに含んでいることを特徴とする請求項４９に記載の方法。
【請求項５２】
前記容器は前記キャップ部と前記本体部との間に配置されたエラストマストッパを含み、該ストッパの一部は前記開口部と前記キャップ部との間に延在しており、前記ストッパの一部は前記所定の力を負荷することで露出されることを特徴とする請求項４６に記載の方法。
【発明の詳細な説明】
【技術分野】
【０００１】
本発明は、モールド成型容器を含んだ密封された容器を開けるための改良に関し、その容器はバイアル瓶の開口部上に部分的に突出した内部エラストマストッパを含んだブローフィルシール（ＢＦＳ）バイアル瓶などの容器であり、バイアル瓶が開けられる場合に関するものである。
【背景技術】
【０００２】
封入されたストッパを備えたモールド成型容器、ＢＦＳ容器およびバイアル瓶は、２００６年１０月４日に出願された米国特許出願Ｎｏ．１１／５４２，８６９号明細書および２００８年４月１０日に出願された特許文献１に記載されており、全体的な内容は参照することによってここに含まれている。出願‘８６９の図３〜１４ｂは容器の様々な実施形態を示しており、工学的分離部を備えてモールド成型されている。
【０００３】
出願‘８６９の図１３ａ、ｂおよび１４ａ、ｂに示されたように、本体部からキャップ部３００を分離することを補助するために、キャップ部３００（図７）は握り強化特性３３０を備えて形成されたキャップ壁３２０を備えていてもよい。そのような握り強化特性３３０は図１３ａ、ｂおよび１４ａ、ｂに示されたような側部３３３を備えたフラットタブ３３２とされてもよく、そのタブは両手を使用して本体部からキャップ部を分離することを可能にしており、片手で本体部２００を把持し、他方の手でキャップ部３００をねじ切る。そのようなねじり動作は回転を示したキャップ部３００上に示された両方向矢印によって図１３ｂに示されている。出願‘８６９における容器の他の実施形態は図１４ｂに示されている。出願‘０４７によれば、タブ３３２の形態は本体部２００からキャップ部３００を容易に除去することを可能にしており、それはキャップ部３００上の一方向矢印によって示された方向においてキャップ部３００に単純にトルクをかけることによって行われる。そのような実施形態においてキャップ部３００の片手による除去が不可能である一方で、容器を使用する必要がある人々の間で普遍的に分からないことは、手の強度を必要とすることかもしれない。
【先行技術文献】
【特許文献】
【０００４】
【特許文献１】米国特許出願第２００８／００８３６９１号明細書
【発明の概要】
【発明が解決しようとする課題】
【０００５】
出願‘８６９の図１４ｂに示された容器を片手で開ける場合、タブ３３２に矢印方向に負荷される力は、ユーザの手の一部が本体部２００からキャップ部３００の分離を開始した後、隆起ニップル１３０に接触して汚染する結果となるかも知れず、それは内径方向においてタブ３３２と接触した手（例えば指）の一部の動作が続くためである。
【課題を解決するための手段】
【０００６】
最も一般的な形態において、本発明は多くの新しい性能とともに従来の状態を進歩させ、新規且つ今までにない方法において先行技術の物品の多くの欠点を克服した。さらに、モールド成型容器を片手で開けるために必要とされる手の強さを減少させ、ユーザの手を使用して容器を開ける場合に、容器を開けることまたは開口部から延在した任意の構造に起因して、ユーザが容器の開口部を汚染する可能性も好適に減少させている。
【０００７】
少なくとも１つの直径と長手軸とを備えた容器を開ける際の隆起ニップルへのアクセスを提供するための容器における本発明の第１の態様において、改良が提供されている。容器は遠位側と近位側とを有する肩壁部を備えた本体壁を伴った本体部を具備している。容器はキャップ壁を備えた隣接したキャップも含んでいる。本体壁は工学的分離部においてキャップ壁と結合している。容器は容器シェル内に取り込まれ、本体部からキャップ部への内容物の移動を防止しているストッパも含み、ストッパの一部は本体部内に取り込まれ且つ前記ストッパの一部はキャップ部内に取り込まれており、ストッパはストッパ壁と、隆起した注入部およびニップル側壁によって区切られた注入部を伴ったニップル上面を備えた中央隆起ニップルを有するストッパ肩部と、を備えている。工学的分離部はニップル側壁に隣接して、キャップ部が本体部から工学的分離部において除去される場合に、ニップルの一部が本体部の外側に延伸する。この改良は分離部において本体部からキャップ部を分離するために形成された容器に取り付けられたオープナーを具備し、長手軸から特定の距離だけ径方向に離れた位置において、キャップ部に対して下向きの力を受け且つ下向きに移動されることによって、分離が行われる。
【０００８】
容器は少なくとも肩壁部の周囲に配置されたカラーを含んでいてもよく、カラーは除去されることが可能である。カラーは、分離部を取り囲んだ第１開口部から、本体部内に形成された環状フランジの下の本体部内に形成されたネックを取り囲んだ第２開口部まで延在し得る。カラーは少なくとも一組の半円状の環状溝を含み、環状溝は各々の端部において互いにヒンジ接続されており、環状溝は肩壁部周囲においてカラーを一体に閉じるために接続されるように形成された自由端を備え得る。環状溝は、カラーが肩壁部の周囲において閉じられるときに、本体部にカラーを固定するように形成され得る。一組の環状溝の各々の自由端は、自由端を一体に固定してカラーを閉じるための、対応する結合ファスナを含んでいる。カラーは容器の内容物に関連した印章を表示し得る。例えば、カラーは色を表示してもよい。カラーの一部は少なくとも１つのタブのためのてこの支点として作用するように形成されることが可能である。
【０００９】
本発明の第２の態様において、流体容器が提供されており、その流体容器は少なくとも部分的に流体を取り囲むように形成された本体部を含んだ流体容器を含んでいる。流体容器は、開口部を取り囲んだ脆弱な分離部において本体部の上に接続されたキャップ部も含んでいる。略下向きの力が、開口部を通る長手軸から、径方向に特定の距離だけ離れた位置においてキャップの一部に負荷された場合に、キャップ部は分離部において本体部から分離して開口部を露出するように形成されている。
【００１０】
本発明の第３の態様において、流体容器を開ける方法が提供されており、その方法は流体容器を準備して容器の一部に所定の下向きの力を負荷するステップを含んでいる。方法は流体容器を準備して容器の一部に所定の下向きの力を負荷するステップを含んでいる。流体容器は本体部とキャップ部とを具備している。本体部は少なくとも部分的に流体を取り囲むように形成されている。キャップ部は開口部を取り囲んだ脆弱な分離部において前記本体部の上に接続され、略下向きの力が、開口部を通る長手軸から、径方向に特定の距離だけ離れた位置においてキャップの一部に負荷された場合に、キャップ部は分離部において本体部から分離して開口部を露出するように形成されている。その方法は、ニップルを通過する長手軸から径方向に特定の距離だけ離れた位置において、キャップ部の一部に所定の下向きの力を負荷するステップも含んでいる。
【００１１】
径方向に特定の距離だけ離れた位置において負荷された下向きの力は長手軸に略直交した軸に対してトルクを発生する。十分なトルクが、分離部において本体部からキャップ部を分離するために発生する。所定の力はキャップ内においてそこから径方向外側に延在して形成された少なくとも１つのタブに負荷されることが可能である。所定の力はユーザの手の少なくともとも一部を使用して負荷されることが可能であり、少なくとも親指、手の指および掌の１つを含んでいる。その方法はユーザの片手によって前記容器が把持されることをさらに含んでいる。
【００１２】
本発明の非限定的な範囲は以下に請求されており、ここに任意の縮尺において描写された図を参照している。
【図面の簡単な説明】
【００１３】
【図１】本発明の態様による容器の実施形態を示した斜視図である。
【図２】本発明の態様による、ユーザの片手を使用して開けられる場合の図１に示された容器を示した斜視図である。
【図３】キャップ部が除去され且つカラーが開かれた、図１および２に示された容器を示した斜視図である。
【図４】カラーが除去された、図１〜３に示された容器を示した斜視図である。
【図５】図１および２に示された容器の部分断面を示した図である。
【発明を実施するための形態】
【００１４】
以下の図に関連して説明される詳細な記載は、現在の本発明の好適な実施形態を単に記載することを意図したものであり、本発明が構成または利用され得る形式のみを表現することを意図したものではない。本記載は、図示された実施形態に関連した本発明の実施のデザイン、機能手段および方法を説明している。しかしながら、同一のまたは等価の機能及び特徴が、本発明の思想および範囲内に包含されることを意図した異なった実施形態によって達成されるかもしれないことが理解される。
【００１５】
本発明の最初の特徴は、好適にモールド成型された容器とともに使用されることであり、より好適には、出願‘８９６の図３〜１４に示された容器と類似に用意された特徴を備えたＢＦＳモールド成型容器と共に使用されることである。したがって、ここに記載された最初の特徴は、出願‘８９６の図３〜１４に示されたデザインの改良として使用され、且つ他のシールされたモールド成型容器に使用されることが可能なことであり、これは当業者によって理解される。
【００１６】
一実施形態において、容器１０は本体部２００およびキャップ部３００を含んでいる。図３〜５に示されたように、容器はストッパ１００を含んでいてもよい。キャップ部３００は少なくとも１つのタブ３３２を含み、そのタブは、少なくとも片手を使用した、分離部４００におけるキャップ部３００の本体部２００からの分離を容易にしている。分離部４００の形態は以下により詳細に記載されている。特に、キャップ部３００のタブ３３２は容器１０の長手軸１４からほぼ径方向外側に向かって延在し、分離部４００によって形成された開口を通過している。タブ３３２はキャップ部３００を分離部４００において本体部２００から分離するように形成されており、それは容器１４の長手軸１４から特定の半径だけ離れた位置において、タブ３３２の少なくとも一端部において下向きの力を負荷することによる。
【００１７】
図１に示されたように、キャップ部３００は全体的にＹ形状またはＴ形状を備えるように好適に形成されており、分離部４００に接続された中央部３３４および中央部３３４の上部から延在した一組の径方向延出タブ３３２を備えている。タブ３３２と中央部３３４とは好適に幅Ｗの同一平面上にあり、その平面はタブ３３２の側部において十分な面領域を好適に提供し、ユーザの少なくとも１つの指によって圧力を負荷するようになっている。リブまたはガセット３３６がキャップ部３００の上側部において各々のタブ３３２の間、および各々のタブ３３２と両側面３３８、３４０に沿った中央部３３４との間に形成されてもよい。そのようなガセットまたはリブ３３６はキャップ部３００をさらに強化し、図２に示したように、力がタブ３３２に負荷されて容器１０を開けるときに、タブ３３２および／または中央部３３４の（例えば曲げまたは圧縮）変形に耐えるようにしている。
【００１８】
タブ３３２は長手軸１４に対してある角度で上方に延出しており、その角度は好適に鋭角である。各々のタブ３３２は分離部４００の直径を越えて径方向外側に延在するように好適に形成されているが、本体部２００の直径Ｄより小さいかまたは同じである。タブ３３２は親指または人差し指のような少なくともユーザの指の一部を受けるように好適に形成されている。タブ３２３は、径方向にある距離だけ離れた位置において負荷された下向きの力を受け且つ集中させるように形成されてもよく、それはタブ３３２の長手軸１４から最も径方向外側の位置であってもよい。図２に示されたように、タブ３３２の間のキャップ部３００の上面は、指先を受けるための凹面として好適に形成されている。さらに、下向きの力を受けるように形成されたタブ３３２の一部は、ユーザの指とタブ３３２との間のすべりを制限するための隆起したディンプルおよび／または溝を含むように構成されてもよい。対称形のタブ３３２が図１〜５に示されている一方で、他の実施形態において、キャップ部３００はより多いまたはより少ないタブ３３２を備えるように形成されてよく、そのタブは対称形にまたは非対称形に構成されてもよい。さらに、別の実施形態（図示略）において、タブ３３２は、キャップ部３００の中央部３３２に接続された平坦なまたはボウル状のディスク形状もしくは円錐台面状の他の構造と置き換えられてもよい。
【００１９】
容器１０はポリプロピレンのような材料から好適に形成されており、その材料は壊れやすいシール部４００を除いて容器全体で十分に強く、ユーザの手および指からの容器１０へ伝えられる力の負荷に対して少なくとも耐えるものである。
【００２０】
図２は、キャップ部３００のタブ３２２上の親指によって下向きの力が負荷されて、分離部４００において本体部２００からキャップ部３００が部分的に分離しているところを示している。片手で開ける場合、ユーザは例えば４本の指と掌との間で容器１０の本体部２００を把持し、タブ３３２の上に手の親指が位置して、親指の移動の軌跡がタブ３３２を下向きに下げるようにする。好適に、力はタブ３３２の径方向外側端部に負荷される。容器１０が付加的なカラー６００を含む場合、カラー６００の上面は分離部４００近傍のタブ３３２と接触して、本体部２００からキャップ部３００を分離するようにてこの作用をさらに補助するための支点として作用するように形成される。十分なトルクがキャップ部３００に負荷されて、その結果キャップ部３００の１つのタブ３３２において下向きの力が発生したとき、キャップ部３００は分離部４００において本体部２００から分離されるように形成されている。
【００２１】
キャップ部３００に下向きの力を負荷することによって、例えば図２に示されたタブ３３２に親指を押し付ける力を負荷すること等によって容器１０を開ける能力は、従来のモールド成型容器を開けるために必要とされるよりも手先の器用さおよび手の強さを必要としないことで、片手のみを使用してキャップ部３００を除去することを容易にしている。さらに、親指を使用して下向きの力を負荷することは特に有利である。なぜならば、キャップ部３００が本体部２００から分離される間、手の残りの４本の指全てが長手方向に延在した容器の本体の周囲を把持することが可能であり、手の４本の指がキャップ部３００の除去後に追加のストッパ１００のニップル１３０の近傍にある見込み、またはキャップ部３００の分離の初期段階後にニップル１３０に向かう動作中である見込みを減少させ、ユーザの手が露出されたニップルと不用意に接触することを回避しているからである。容器１０の本体部２００の周囲を掴んだ少なくともいくつかの指とともに、図２に示されたように、掌で容器１０を把持することは、タブ３３２に作用する機械的なてこの作用を最大化するために、ほぼ下向きの方向において親指の移動軌跡を確立している。
【００２２】
カラー６００は容器１０から除去されるように形成されていてもよい。図３はキャップ部３００が除去された容器１０の部分、および完全に露出されたニップル１３０の上面１３４、ならびに部分的に除去されたカラー６００を示している。図４はカラー６００またはキャップ部３００を除去した容器を示している。カラー６００は図３において部分的に除去され、開いた状態で示されている。カラー６００はプラスチックから形成されてもよく、好適に例えば容器１０の内容物を示すために色または他の証印を表示してもよい。
【００２３】
図１〜３に示されたカラー６００は２つの半円状の環状溝部６００ａおよび６００ｂを含み、それらは取り付けられた端部において互いにヒンジ接続されている。２つの環状溝部６００ａおよび６００ｂの各々は内側環状プロファイルを備え、それらは全体的にＣ形状またはＵ形状の溝であり、ストッパ１００を取り囲んだ本体部２００の外側面と協働するように構成されている。２つの環状溝部６００ａおよび６００ｂは互いに向かって閉じ、本体部２００の少なくとも肩壁部２２１によって保持されるように形成されている。各々の環状溝部６００ａおよび６００ｂは自由端を備え、それらは各々の取り付け端部と径方向に向かい合っており、自由端を一体に固定するように形成された封止部を備えている。例えば、第１環状溝部６００ａの自由端は第１環状溝部６００ａの自由端の上端から周方向に延出した雄タブ６０５を含み、第２環状溝部６００ｂの自由端の上端近傍において第２環状溝部６００ｂの上面を貫通して形成された、対応した雌開口部６０６と結合するように形成されている。雄タブ６０５はカラー６００の開閉の際に雌開口部６０６とスナップ説側のような形式で協働する。雄タブ６０５は弾性部材であってもよく、カラー６００の第１および第２環状溝部６００ａおよび６００ｂの各々の開閉の際に十分な量だけ変形することが可能であってもよい。
【００２４】
断面においてより詳細に示された図５を参照すると、カラー６００は、内側環状プロファイルを備えるように形成され、そのプロファイルは本体部２００の肩壁部２２１のほぼ周囲において近位側２２３から遠位側２２２まで且つ侵入障害部２２４の周囲に延在している。「近位」および「遠位」の語は、容器１０の長手軸１４からそれぞれ比較的遠いおよび比較的近い位置を示すことを意図されている。
【００２５】
カラー６００は、容器１０の長手軸１４に略直交した第１環状上面６０１を備えている。第１環状上面６０１はカラー６００の第１開口部６０５を取り囲んだ内径と肩壁部２２１の近位側２２３近傍の外径とによって形成されている。第１開口部６０５は分離部４００を取り囲むように形成されている。第１環状上面６０１は、容器１０を開ける際に、タブ３３２の少なくとも１つの側面３４０および３３８（図１）と関節結合を成して、てこの支点として作用するように形成されている。第２環状面６０２は、第１環状上面６０１の外径から円錐台形状を成して径方向外側に延在している。第２環状面６０２は肩壁部２２１の遠位側２２２に概略延在した外径を有している。第３環状面６０３は、容器１０の長手軸に平行な略下向きの方向において第２環状面６０２の外径から延在している。第３環状面６０３は侵入障害部２２４によって形成された環状フランジに向かって下向きに延在している。第４環状面６０４は第３環状面６０３の下端から延在し、侵入障害部２２４の下で本体部２００のネック２９９を取り囲んだ第２回後部６０６を形成するように径方向内向きに延在している。第４環状面６０４は第１環状面６０１に略平行である。
【００２６】
清潔に且つ確実に本体部２００からキャップ部３００を除去することも、本体壁２２０がキャップ壁３２０と交わる分離部４００における改良によって容易にされる。そのような分離部４００は一例としてシェル壁５２内に引っかき線を具備することが可能である。本発明の一実施形態において、図４および５に見られるように、分離部４００は本体壁２２０とキャップ壁３２０との間にシェル厚さ内に不連続な線を具備している。その不連続性は隣接した本体部２００とキャップ部３００との間に自然な断裂領域を生成している。図５に見られているように、さらなる実施形態において、分離部４００は肩壁部２２１の厚さの漸進的な薄化によって形成され、図５に見られているように、肩壁部２２１の遠位側２２２における最大厚さから肩壁部２２１の近位側２２３における最小厚さまでテーパ状になっている。
【００２７】
キャップ部３００のタブ３３２の半径の大きさは、本体部２００からのキャップ部３００の片手での分離に作用し得る。タブ３３２の長さが小さすぎると、与えられたユーザの手の強さでは、発生するトルクは分離部４００において破壊するために不十分であるかもしれない。さらに、片手で開けるために必要とされる手の強さは、タブ３３２の長さが増加することによって減少するかもしれない。すなわち、容器１０の幅に対してタブ３３２が大きくなればなるほど、分離部４００において断裂に影響を与える、タブ３３２の遠位部において負荷されなければならない力は小さくなる。しかしながら、タブ３３２が長すぎると、タブ３３２との不意な接触によって、キャップ部３００は本体部２００から偶発的に分離されるかもしれない。好適に、タブは破壊部４００の直径と容器の本体部２００の直径Ｄとの間で径方向に延在している。
【００２８】
追加的な電子的ストッパ１００を備えた例示的な容器１０のいくつかの特徴は、図３および５を参照してここにより詳細に記載されている。
【００２９】
図３および５に示されているように、容器は容器シェル５０を備え、容器シェルは遠位側２２２と近位側２２３とを有する肩壁部２２１を備えた本体壁２２０を伴った本体部２００を具備しており、それは図５に最もよく見られている。本体部２００は隣接したキャップ部３００を備え、キャップ部はキャップ壁３２０を備え、本体へ基２２０は分離部４００においてキャップ部３２０と結合している。分離部４００は容器の壁２２０、３２０において脆弱化した領域を示すようにデザインされており、均一且つ再現可能な破壊領域が本体部２００からキャップ部３００を除去するために生成されている。
【００３０】
容器１０は容器シェル５０内に取り込まれたストッパ１００を好適に備え、本体部２００からキャップ部３００へと内容物が移動することを防止している。ストッパ１００の一部は本体部２００内に取り込まれており、ストッパ１００の一部はキャップ部３００内に取り込まれている。ストッパ１００はストッパ壁１００およびストッパ肩部１２３（図５）を備え、注入部１３５およびニップル側壁１３２を備えたニップル上面１３４を有する中央隆起ニップル１３０を備えている。図３〜５に示されているように、分離部４００はニップル側壁１３２に隣接しており、キャップ部３００が分離部４００において本体部２００から除去されるとき、ニップル１３０の一部は本体部２００の外側に延伸する。さらに、いくつかの実施形態において、ニップル１３０の上面１３４の注入部１３５は隆起した注入ガイド１３６（図２および３）によって区切られており、針またはストッパ１００内の除去手段の正確な配置を補助している。
【００３１】
図５に示されたように、キャップ部３００に隣接した本体の肩壁部２２１は容器１０の長手軸１４から非直角の角度で形成されてもよい。
【００３２】
容器は、本体壁２２０が侵入障害部２２４（図５）を備えるように形成されてもよく、侵入障害部２２４はストッパ壁１７０内に形成されたストッパ侵入障害部１２４と協働する。そのような協働は、ストッパ１００が外部圧力によって容器１０内に不用意に力を負荷される可能性を減少している。
【００３３】
本体部２００およびストッパ１００の他の実施形態は、本発明の開口装置と共に使用されることが可能である。出願‘８６９の図５に示された容器の実施形態において、本体壁２２０の壁保持面２２６はストッパ壁１２０のストッパ保持面１２６と協働する。実施例のみによれば、そのような協働は十分な摩擦はめ合いを提供してもよく、ストッパ１００は容器１０内により小さい力が負荷されるか、または容器１０から放出されるようであってもよい。出願‘８６９の図５に示された容器は、壁保持面２２６が少なくとも１つの壁面浸出障害部２２７をさらに具備しており、壁面浸出障害部２２７はストッパ保持面１２６のストッパ浸出障害部１２７と協働する。
【００３４】
図５に示された実施形態において、タブ３３２は、タブ３３２の最遠点から注入サイト１３５の中心までの距離Ｄが容器１０の少なくとも１つの最大直径Ｄの少なくとも５０％であるように形成されている。さらなる実施形態において、タブ３３２は、距離Ｄが容器１０の少なくとも１つの最大直径Ｄの少なくとも６５％であるように形成されている。
【００３５】
ここに開示された好適な実施形態の数値の変更、改良および変化は当業者には明白なものであり、それらは請求の範囲に記載された発明の思想及び範囲内において全て予想され、および熟考されるものである。例えば、特別な実施形態は詳細に記載されているが、当業者は、前術の実施形態および変形形態が改良されて、要素の配置および寸法の形態に関して多様なタイプの置換、および／または材料の追加または置換を組み込むことを理解するだろう。したがって、本発明のわずかなバリエーションのみがここに記載されているが、そのような追加的な改良およびその変化ならびにそれと同等なものが本発明の思想および範囲内のものであり、以下の特許請求の範囲において定義されている。
【００３６】
特に、上述の容器が出願‘８６９に記載された容器に実施形態と共通の多くの特徴を共有する一方で、ここに記載されたオープナーはそのような実施形態と一体に使用されることに限定されるものではなく、オープナーは他の携帯を備えた容器を開けるために使用されることが可能である。
【符号の説明】
【００３７】
１０  ・・・容器
５０  ・・・容器シェル
１００  ・・・ストッパ
１２４  ・・・ストッパ侵入障害部
１３０  ・・・ニップル
１３２  ・・・ニップル側壁
１３４  ・・・ニップル上面
１３５  ・・・注入部
１７０  ・・・ストッパ壁
２００  ・・・本体部
２２０  ・・・本体壁
２２１  ・・・肩壁部
２２４  ・・・侵入障害部
３００  ・・・キャップ部
３２０  ・・・キャップ壁
３３２  ・・・（径方向延出）タブ
３３４  ・・・中央部
３３６  ・・・リブ
４００  ・・・分離部
６００  ・・・カラー
６００ａ，６００ｂ  ・・・環状溝部
６０１  ・・・第１環状上面
６０２  ・・・第２環状面
６０３  ・・・第３環状面
６０４  ・・・第４環状面
６０５  ・・・雄タブ
６０６  ・・・雌開口部
【図１】
2011011824.tif 000003
【図２】
2011011824.tif 000004
【図３】
2011011824.tif 000005
【図４】
2011011824.tif 000006
【図５】
2011011824.tif 000007
【外国語明細書】
2011011824.tif 000008
2011011824.tif 000009
2011011824.tif 000010
2011011824.tif 000011
2011011824.tif 000012
2011011824.tif 000013
2011011824.tif 000014
2011011824.tif 000015
2011011824.tif 000016
2011011824.tif 000017
2011011824.tif 000018
2011011824.tif 000019
2011011824.tif 000020
2011011824.tif 000021
2011011824.tif 000022
2011011824.tif 000023
2011011824.tif 000024
2011011824.tif 000025
2011011824.tif 000026
2011011824.tif 000027
2011011824.tif 000028
2011011824.tif 000029
2011011824.tif 000030
2011011824.tif 000031